(57)【要約】【課題】簡単に安全性を向上できる冷蔵庫を提供する。【解決手段】制御回路を収納するとともに一面に開口部４０ａを有する樹脂製の電装ボックス４０と、開口部４０ａの周縁にヒンジ部５１を介して一体に連結されるとともにヒンジ部５１で折曲して開口部４０ａを覆う樹脂カバー５０と、樹脂カバー５０を覆う金属製の第１電装カバー４１と、電装ボックス４０の裏面側に被嵌される金属製の第２電装カバー４２とを備えた。【選択図】図１０
2009186102.tif 000002
【特許請求の範囲】
【請求項１】
制御回路を収納するとともに一面に開口部を有する樹脂製の電装ボックスと、前記開口部の周縁にヒンジ部を介して一体に連結されるとともに前記ヒンジ部で折曲して前記開口部を覆う樹脂カバーと、前記樹脂カバーを覆う金属製の第１電装カバーと、前記電装ボックスの裏面側に被嵌される金属製の第２電装カバーとを備えたことを特徴とする冷蔵庫。
【請求項２】
前記電装ボックスに取り付けられる第１プリント配線基板と、前記樹脂カバーに一体成形されたボスに取り付けられる第２プリント配線基板とを備えたことを特徴とする請求項１に記載の冷蔵庫。
【請求項３】
前記樹脂カバーは前記開口部を覆った際に前記電装ボックスの内面または第１プリント配線基板に当接して第１、第２プリント配線基板の間隔を維持するストッパを有することを特徴とする請求項２に記載の冷蔵庫。
【請求項４】
前記樹脂カバーと第１電装カバーとの間に隙間を設けたことを特徴とする請求項１〜請求項３のいずれかに記載の冷蔵庫。
【請求項５】
前記開口部を被嵌する第１電装カバーが挿入される第１溝部を前記電装ボックスの周面に設け、前記樹脂カバーは前記開口部を覆った際に第１溝部に連続して第１電装カバーが挿入される連続溝を有することを特徴とする請求項１〜請求項４のいずれかに記載の冷蔵庫。
【請求項６】
第１溝部に隣接して設けられるとともに第２電装カバーが挿入される第２溝部を備え、第１、第２電装カバーの周面が重なって配置されることを特徴とする請求項５に記載の冷蔵庫。
【請求項７】
第１、第２電装カバーの少なくとも一部が接することを特徴とする請求項１〜請求項６のいずれかに記載の冷蔵庫。
【発明の詳細な説明】
【技術分野】
【０００１】
本発明は、制御基板を収納する電装ボックスを備えた冷蔵庫に関する。
【背景技術】
【０００２】
従来の冷蔵庫は特許文献１に開示されている。この冷蔵庫は圧縮機等の機械類が配される機械室を備えている。機械室はアングルにより囲まれ、一側部のアングルに電装ボックスが取り付けられる。電装ボックスはコンデンサやスイッチ素子等の電装部品を有した制御回路が収納される。制御回路によって上記の機械類が制御される。電装ボックスは難燃性の樹脂成形品から成り、内部の電装部品が発火しても外部への延焼が抑制される。
【０００３】
【特許文献１】特開平８−２１９６３５号公報（第４頁−第６頁、第３図）
【発明の開示】
【発明が解決しようとする課題】
【０００４】
近年、安全性に対して消費者の目が厳しくなり、より安全性の高い冷蔵庫が求められている。電装ボックスを不燃性の金属によって形成すると延焼を確実に防止することができるため冷蔵庫の安全性を向上できる。しかしながら、絞り加工等による密閉構造の形成が困難となるとともに、電装ボックス内部の配線の短絡を防止する構成が複雑になる。このため、冷蔵庫のコストが増加する問題があった。
【０００５】
本発明は、簡単に安全性を向上できる冷蔵庫を提供することを目的とする。
【課題を解決するための手段】
【０００６】
上記目的を達成するために本発明は、制御回路を収納するとともに一面に開口部を有する樹脂製の電装ボックスと、前記開口部の周縁にヒンジ部を介して一体に連結されるとともに前記ヒンジ部で折曲して前記開口部を覆う樹脂カバーと、前記樹脂カバーを覆う金属製の第１電装カバーと、前記電装ボックスの裏面側に被嵌される金属製の第２電装カバーとを備えたことを特徴とを備えたことを特徴としている。
【０００７】
この構成によると、一面が開口した樹脂成形品から成る電装ボックスには樹脂ヒンジ等のヒンジ部を介して樹脂カバーが折り曲げ自在に連結される。制御回路を構成する電装部品が電装ボックス内に収納されると樹脂カバーをヒンジ部で折曲して開口部が覆われる。電装ボックスの開口部側は樹脂カバーに対向する金属製の第１電装カバーにより更に覆われ、裏面側は金属製の第２電装カバーが被嵌される。
【０００８】
また本発明は、上記構成の冷蔵庫において、前記電装ボックスに取り付けられる第１プリント配線基板と、前記樹脂カバーに一体成形されたボスに取り付けられる第２プリント配線基板とを備えたことを特徴としている。
【０００９】
また本発明は、上記構成の冷蔵庫において、前記樹脂カバーは前記開口部を覆った際に前記電装ボックスの内面または第１プリント配線基板に当接して第１、第２プリント配線基板の間隔を維持するストッパを有することを特徴としている。この構成によると、樹脂カバーをヒンジ部で折曲すると樹脂カバーと一体のストッパが電装ボックスの内面または第１プリント配線基板に当接する。これにより、第１、第２プリント配線基板間が所定間隔に維持される。
【００１０】
また本発明は、上記構成の冷蔵庫において、前記樹脂カバーと第１電装カバーとの間に隙間を設けたことを特徴としている。
【００１１】
また本発明は、上記構成の冷蔵庫において、前記開口部を被嵌する第１電装カバーが挿入される第１溝部を前記電装ボックスの周面に設け、前記樹脂カバーは前記開口部を覆った際に第１溝部に連続して第１電装カバーが挿入される連続溝を有することを特徴としている。この構成によると、第１電装カバーは電装ボックスの周面に設けた第１溝部及び樹脂カバーに設けた連続溝に挿入されて開口部を被嵌する。
【００１２】
また本発明は、上記構成の冷蔵庫において、第１溝部に隣接して設けられるとともに第２電装カバーが挿入される第２溝部を備え、第１、第２電装カバーの周面が重なって配置されることを特徴としている。この構成によると、第１、第２溝部が例えば断面Ｓ字状に形成され、第１、第２電装カバーは第１溝部及び第２溝部にそれぞれ挿入される。これにより、第１、第２電装カバーの周面は法線方向に重なって配置される。
【００１３】
また本発明は、上記構成の冷蔵庫において、第１、第２電装カバーの少なくとも一部が接することを特徴としている。
【発明の効果】
【００１４】
本発明によると、樹脂製の電装ボックスを金属性の第１、第２電装カバーにより覆うので、電装ボックス内で発火しても第１、第２電装カバーによって容易に延焼を防止することができる。また、開口部を覆う樹脂カバーを第１電装カバーにより更に覆うので、金属製の第１電装カバーと電装部品とを容易に絶縁することができる。
【発明を実施するための最良の形態】
【００１５】
以下に本発明の実施形態を図面を参照して説明する。図１、図２は一実施形態の冷蔵庫を示す側面断面図及び正面断面図である。冷蔵庫１は断熱箱体３３の上部に冷凍室２が設けられ、冷凍室２の下方には冷蔵室３が設けられる。冷凍室２と冷蔵室３とは断熱材を充填した仕切壁４により仕切られる。冷凍室２の前面は扉２ａにより開閉され、冷蔵室３の前面は扉３ａにより開閉される。
【００１６】
冷凍室２の背面には冷凍室ダクト１０が設けられる。冷凍室ダクト１０の前面側の上部には吐出口１０ａが設けられ、下部には戻り口１０ｂが設けられる。冷凍室ダクト１０内には冷気を生成する冷却器５が配され、冷却器５の上方に送風ファン６が配される。冷却器５の下方には冷却器５の除霜水を回収するドレンパン１１が設けられる。また、冷凍室ダクト１０は送風ファン６の排気側で分岐して冷却器５の右方に配された連通路７を有している。
【００１７】
冷蔵室３の上部にはチルド温度帯等の低温保存が可能な低温ケース１８が配される。低温ケース１８の背面は開口し、後述する吐出口２０ｃから冷気が流入する。低温ケース１８の下方には樹脂成形品により形成して貯蔵物を載置する複数の載置棚１３が設けられる。載置棚１３は冷蔵室３の側壁に突設された複数のレール１３ａの上面に載せられ、高さ方向の位置を貯蔵物にあわせて適時変えられるようになっている。
【００１８】
冷蔵室３の下部には隔離室から成る野菜室１６が設けられる。野菜室１６は樹脂成形品により形成された板状の仕切部１４により冷蔵室３の上部と仕切られる。仕切部１４の上下は仕切部１４の前方の連通部１４ａで連通する。また、仕切部１４の後端には開口部１４ｂが設けられる。野菜室１６内には仕切部１４により上面が塞がれる収納ケース１５が出し入れ自在に配される。収納ケース１５は野菜室１６の壁面との間に冷気が流通する隙間１６ａを有して配される。
【００１９】
冷蔵室３の背面には鉛直方向に延びた吐出通路２０及び戻り通路２３が並設される。図３は図２のＡ−Ａ断面図を示している。吐出通路２０及び戻り通路２３は複数の通路を有した発泡樹脂成形品の断熱材から成るダクト２６を冷蔵室３の背壁に取り付けて形成される。これにより、吐出通路２０と戻り通路２３とが一体に形成され、部品点数を削減することができる。
【００２０】
ダクト２６の上記各通路は断熱材によって隔てられる。このため、吐出通路２０を流通する冷気と戻り通路２３を流通する冷気に温度差があっても、これらの間の冷熱の受け渡し量が微小となる。このため、吐出通路２０を流通する冷気の冷熱が戻り通路２３を流通する冷気に伝達されることによる冷蔵室３の冷却効率の低下を防止することができる。
【００２１】
また、ダクト２６の前面側は樹脂成形品から成るパネル２７により覆われている。ダクト２６とパネル２７とは夫々に設けた凹部と凸部（不図示）とが係合して一体となり、冷蔵室３の背面に着脱自在に取り付けられている。
【００２２】
図４は吐出通路２０を通る断面を示す側面断面図である。吐出通路２０は上部でダンパ１７を介して連通路７に連通する。また、図５は図２のＢ−Ｂ断面図を示している。吐出通路２０はダンパ１７の下方で戻り通路２３の前面側に配された分岐部２０ａを有している。
【００２３】
図２において、吐出通路２０は分岐部２０ａで左右に分岐し、戻り通路２３の左右にそれぞれ配された左通路２１及び右通路２２を有している。左通路２１の左側面及び右通路２２の右側面には冷気を吐出する複数の吐出口２０ｂがそれぞれ設けられる。
【００２４】
戻り通路２３は上部で左右に分岐した第１、第２分岐路２４、２５を有している。図６は戻り通路２３を通る断面を示す側面断面図である。第１、第２分岐路２４、２５は冷凍室ダクト１０の背面側に配される。冷却器５の下方で冷凍室ダクト１０の背面側に開口した連通口２４ａ、２５ａを介して冷凍室ダクト１０と第１、第２分岐路２４、２５とが連通する。
【００２５】
戻り通路２３は前面側を覆うパネル２７の下端に正面に開口する戻り口２３ａが設けられる。また、戻り通路２３は下面が開口し、開口部１４ｂ（図１参照）に面した戻り口２３ｂが形成される。戻り口２３ａ、２３ｂは仕切部１４（図１参照）の上方に配される。
【００２６】
ドレンパン１１の排水口１１ａの下方には排水パイプ１２の受け部１２ａが配される。図６に示すように、受け部１２ａは第１、第２分岐路２４、２５の前方に配される。排水パイプ１２は受け部１２ａから第１、第２分岐路２４、２５の間を通って後方に延び、戻り通路２３の背後に配されて下方に延びる。ドレンパン１１に溜まる除霜水は排水パイプ１２を介して蒸発皿（不図示）に排水される。従って、戻り通路２３は第１、第２分岐路２４、２５に分岐して流路面積が縮小されず、戻り通路２３と排水パイプ１２の干渉を簡単に防止することができる。
【００２７】
図７は冷蔵庫１の下部の背面図を示している。また、図８、図９はそれぞれ図７のＣ−Ｃ断面図及びＤ−Ｄ断面図を示している。冷蔵庫１の下部後方には機械室３０が形成される。機械室３０は断熱箱体３３によって前面及び上面が囲まれ、鉄板から成る底板３２によって底面が形成される。機械室３０の背面側の両側端には断熱箱体３３に取り付けられるアングル３４、３５が立設される。
【００２８】
機械室３０内には冷却器５（図１参照）に接続される圧縮機３１が底板３２上に設置される。圧縮機３１は冷凍サイクルを運転し、冷凍サイクルの低温側に配された冷却器５によって冷気が生成される。
【００２９】
また、機械室３０の一方の側部には冷蔵庫１の各部を制御する制御回路を収納する電装ボックス４０が設置される。電装ボックス４０はアングル３５に取付けられる。電装ボックス４０の下方にはハーネス３６、３７が導出される。ハーネス３６、３７は断熱箱体３３内を通り、冷蔵庫１の各部の電装部品に接続される。
【００３０】
尚、ハーネス３６、３７の被覆またはハーネス３６、３７の周囲を覆うように設けた保護チューブは、難燃性もしくは自己消化性を有している。これにより、ハーネス３６、３７の被覆や保護チューブの発火防止を図るとともに、ハーネス３６、３７が着火したときの他の部分への類焼を防いでいる。
【００３１】
電装ボックス４０は冷蔵庫１の背面側が開口する開口部４０ａ（図１０参照）を有した箱状に形成される。電装ボックス４０の開口部４０ａは第１電装カバー４１が被嵌されて塞がれている。電装ボックス４０の裏面及び周面は第２電装カバー４２が被嵌されている。
【００３２】
図１０は電装ボックス４０及び第１、第２電装カバー４１、４２の分解斜視図を示している。電装ボックス４０は難燃性の樹脂成形品から成り、一面に開口部４０ａが形成される。電装ボックス４０の開口部４０ａの周縁には詳細を後述するように第１、第２電装カバー４１、４２を係止するフランジ部４３が形成される。電装ボックス４０の下面にはハーネス３６、３７を導出する孔部４０ｂが形成される。
【００３３】
電装ボックス４０の開口部４０ａの周縁の一辺にはヒンジ部５１を介して連結される樹脂カバー５０が電装ボックス４０と一体成形されている。ヒンジ部５１は詳細を後述するように樹脂ヒンジ５１ａ（図２０参照）により折曲可能になっている。これにより、樹脂カバー５０はヒンジ部５１で折曲して開口部４０ａから退避する位置と開口部４０ａを覆う位置との間を回動することができる。樹脂カバー５０の一面にはボス５０ａ及びストッパ５０ｂが一体成形により突設され、他面にはリブ５０ｃが突設される。
【００３４】
第１、第２電装カバー４１、４２は鉄板やステンレス鋼板等の金属から成り、板金加工により形成される。第１、第２電装カバー４１、４２を絞り加工により形成してもよい。第１、第２電装カバー４１、４２の周部を折曲して形成される周面には複数の係合孔４１ａ、４２ａがそれぞれ設けられる。第１電装カバー４１は開口部４０ａに被嵌され、第２電装カバー４２は電装ボックス４０の裏面に被嵌される。また、第２電装カバー４２には電装ボックス４０に被嵌した際にヒンジ部５１との干渉を回避する切欠き４２ｃが形成される。
【００３５】
図１１、図１２は電装ボックス４０の正面図である。図１１は樹脂カバー５０が開口部４０ａから退避する位置に配された状態を示し、図１２は樹脂カバー５０が開口部４０ａを覆う位置に配された状態を示している。電装ボックス４０内に収納される制御回路は種々の電装部品が実装された第１、第２プリント配線基板５３、５４を有している。
【００３６】
第１プリント配線基板５３は電装ボックス４０に取付けられ、第２プリント配線基板５４は樹脂カバー５０のボス５０ａに取付けられる。樹脂カバー５０で開口部４０ａを覆うと第１、第２プリント配線基板５３、５４が対向配置される（図１６参照）。これにより、第１プリント配線基板５３上に隙間を有して第２プリント配線基板５４を取り付けるための固定子が不要となる。従って、部品点数を削減できるとともに取付け作業を簡単にすることができる。
【００３７】
樹脂カバー５０で開口部４０ａを覆った際に第１プリント配線基板５３にはストッパ５０ｂが当接する。これにより、第１、第２プリント配線基板５３、５４が所定の間隔に維持される（図１６参照）。従って、第１、第２プリント配線基板５３、５４上の電装部品の接触を防止して信頼性を向上することができる。また、電装ボックス４０の下面には孔部４０ｂの両外側から遮蔽板４４が突出して設けられる。
【００３８】
図１３〜図１５は電装ボックス４０に第１、第２電装カバー４１、４２を装着した状態の正面図、右側面図及び底面図をそれぞれ示している。また、図１６は図１２のＥ−Ｅ断面図を示している。第１電装カバー４１はネジ４８によって電装ボックス４０に取り付けられる。第１電装カバー４１には下方に延びる遮蔽板４５が設けられる。
【００３９】
遮蔽板４４、４５は電装ボックス４０を機械室３０に取り付けた際に機械室３０の底板３２（図８参照）近傍まで延びて形成される。遮蔽板４４、４５によって電装ボックス４０の下方に延びるハーネス３６、３７が覆われる。これにより、メンテナンス等の際に手指がハーネス３６、３７に接触する危険を回避することができる。
【００４０】
図１７は図１６のＧ部詳細図を示している。電装ボックス４０の周面に一体成形されるフランジ部４３は第１溝部４７及び第２溝部４６を有している。第２溝部４６は開口部４０ａの周縁に設けられ、電装ボックス４０の裏面側が開口する。第１溝部４７は第２溝部４６の外周側に隣接して配され、開口部４０ａ側が開口する。これにより、フランジ部４３は断面が略Ｓ字状に形成される。
【００４１】
第２溝部４６及び第１溝部４７の外周側の壁面にはそれぞれ複数の係合爪４６ａ、４７ａが突設される。第２電装カバー４２は周面が第２溝部４６に挿入され、係合孔４２ａが係合爪４６ａに係合して係止される。この時、第２電装カバー４２の周面の先端は第２溝部４６の底壁４６ｃに当接している。
【００４２】
第１電装カバー４１は周面が第１溝部４７に挿入され、係合孔４１ａが係合爪４７ａに係合して係止される。この時、第１電装カバー４１はフランジ部４３に接して配される。これにより、第１、第２電装カバー４１、４２は周面が法線方向に重なって配される。また、第１、第２電装カバー４１、４２は前後方向に接近し、フランジ部４３の肉厚ｔだけ離れて配される。
【００４３】
また、図１８の上面断面図に示すように、第２溝部４６の底壁４６ｃには挿通孔４６ｂが形成される。第２電装カバー４２の先端には挿通孔４６ｂに挿通して第１電装カバー４１に接する突起部４２ｂが設けられる。これにより、第１、第２電装カバー４１、４２が接して電装ボックス４０内がシールドされる。従って、圧縮機３１（図７参照）の雑音等の電波による制御回路に対する障害を防止することができる。
【００４４】
図１９は図１２のＦ−Ｆ断面図を示している。また、図２０は図１９のＨ部詳細図であり、ヒンジ部５１の詳細を示している。ヒンジ部５１は電装ボックス４０の周面に突設される突起部４０ｃと樹脂カバー５０の側端壁５０ｅとをＰＰヒンジ等の樹脂ヒンジ５１ａで連結して構成される。樹脂ヒンジ５１ａにより突起部４０ｃに対して側端壁５０ｅを折曲でき、樹脂カバー５０を回動することができる。
【００４５】
樹脂カバー５０の端部には開口部４０ａを覆った際に第１溝部４７に連続する連続溝５７が形成される。連続溝５７内には第１溝部４７と同様の係合爪５７ａが突設される。第１電装カバー４１は第１溝部４７（図１７参照）に挿入される際に同時に連続溝５７内に挿入され、係合爪５７ａにより係止される。
【００４６】
また、開口部４０ａに被嵌される第１電装カバー４１は樹脂カバー５０の端部及びリブ５０ｃ（図１０、図１６、図２０参照）に当接し、樹脂カバー５０と第１電装カバー４１との間に所定の隙間ｄを形成する。これにより、電装ボックス４０内の電装部品の発熱を隙間ｄによる空間を介して放熱し、電装ボックス４０内の温度上昇を抑制することができる。
【００４７】
上記構成の冷蔵庫１において、送風ファン６の駆動によって冷凍室ダクト１０を流通する空気は冷却器５と熱交換して冷気が生成される。冷却器５により生成された冷気は吐出口１０ａから矢印Ｅ１（図１参照）に示すように冷凍室２内に吐出される。冷凍室２に吐出された冷気は冷凍室２内を流通して貯蔵物を冷却し、戻り口１０ｂを介して冷却器５に戻る。
【００４８】
また、送風ファン６の排気側で冷気は矢印Ｅ２（図２、図４参照）に示すように分岐し、連通路７を流通する。連通路７を流通する冷気はダンパ１７を介して吐出通路２０に流入し、分岐部２０ａで分岐する。吐出通路２０に流入した冷気の一部は矢印Ｅ３（図１参照）に示すように分岐部２０ａから吐出口２０ｃを介して低温ケース１８内に吐出される。低温ケース１８はダンパ１７を通過した冷気が直ちに多量に供給されるため低温に維持される。低温ケース１８内を流通した冷気は主に低温ケース１８の前面側から冷蔵室３内に流出する。
【００４９】
尚、低温ケース１８内の冷気の冷熱や冷却された貯蔵物の冷熱は低温ケース１８の下面から下方へ放出される。低温ケース１８の下方に配された貯蔵物は低温ケース１８の前方に送られる冷気の降下により直接冷却され、低温ケース１８の下面側から放出される冷熱により間接冷却される。
【００５０】
これにより、後述する吐出口２０ｂから吐出される冷気の量を少なくしても冷蔵室３の下部を充分冷却することができる。特に下段の吐出口２０ｂから吐出される冷気量を抑えることができることになる。従って、冷気が貯蔵物に直接当ることによる貯蔵物の乾燥を極力抑制できるようになる。
【００５１】
分岐部２０ａで分岐した冷気は吐出通路２０の左通路２１及び右通路２２を矢印Ｅ４、Ｅ５（図２、図４参照）に示すように流下する。吐出通路２０を流下する冷気は吐出口２０ｂから矢印Ｅ６（図１〜図４参照）に示すように冷蔵室３内に吐出される。この時、吐出口２０ｂは左通路２１及び右通路２２の側面に設けられるため、図２、図３に示すように側方に向けて吐出される。
【００５２】
冷蔵室３内に吐出された冷気は矢印Ｅ７（図１、図４参照）に示すように載置棚１３に沿って前方へ流通する。吐出口２０ｂが上下方向に複数設けられるので複数の載置棚１３により仕切られた各段の貯蔵物を容易に冷却することができる。尚、吐出口２０ｂが設けられない段の貯蔵物の場合は、上下の載置棚１３に沿って流通する冷気により載置棚１３を介して間接的に冷却される。
【００５３】
載置棚１３に沿って流通する冷気は載置棚１３の前方で矢印Ｅ８（図１、図４参照）に示すように降下する。冷蔵室３の前部を降下する冷気の一部は仕切部１４上を矢印Ｅ９（図１参照）に示すように流通し、正面側の戻り口２３ａを介して戻り通路２３に流入する。
【００５４】
また、冷蔵室３の前部を降下する冷気の一部は仕切部１４の前方の連通部１４ａを介して野菜室１６内に流入する。野菜室１６に流入した冷気は矢印Ｅ１０（図１参照）に示すように収納ケース１５の周囲の隙間１６ａを流通する。尚、隙間１６ａは収納ケース１５の側方にも設けられる。
【００５５】
収納ケース１５の周囲を流通する冷気は後方の開口部１４ｂを介して仕切部１４の上方に流通し、下面側の戻り口２３ｂを介して戻り通路２３に流入する。収納ケース１５は上面を塞ぐ仕切部１４に沿って流通する冷気（Ｅ９）と、周囲の隙間１６ａを流通する冷気（Ｅ１０）によって内部の貯蔵物が間接冷却される。
【００５６】
戻り通路２３に流入した冷気は矢印Ｅ１１（図２、図６参照）に示すように上昇する。戻り通路２３を上昇する冷気は矢印Ｅ１２、Ｅ１３（図２、図６参照）に示すように第１、第２分岐路２４、２５に分岐する。第１、第２分岐路２４、２５を流通する冷気は連通口２４ａ、２５ａを介して冷凍室ダクト１０に流入し、冷却器５に戻る。
【００５７】
本実施形態によると、樹脂製の電装ボックス４０を金属性の第１、第２電装カバー４１、４２により覆うので、電装ボックス４０内で発火しても第１、第２電装カバー４１、４２によって簡単に延焼を防止して冷蔵庫１の安全性を向上することができる。また、開口部４０ａを覆う樹脂カバー５１を第１電装カバー４１により更に覆うので、金属製の第１電装カバー４１と電装部品とを容易に絶縁することができる。
【００５８】
また、樹脂カバー５０をヒンジ部５１を介して電装ボックス４０と一体に設けたので、第１電装カバー４１の内面に別途絶縁シートを設ける必要がなく部品点数を削減できる。更に、絶縁シートを絶縁テープ等により固定する必要がなく作業性が向上するとともに、絶縁テープの剥がれによる信頼性低下を防止することができる。
【００５９】
また、開口部４０ａを被嵌する第１電装カバー４１が挿入される第１溝部４７を開口部４０ａの周縁に設け、樹脂カバー５０は開口部４０ａを覆った際に第１溝部４７に連続する連続溝５７を有するので、第１電装カバー４１により開口部４０ａ全体を容易に覆うことができる。従って、延焼をより確実に防止することができる。
【００６０】
また、第１、第２溝部４７、４６に挿入される第１、第２電装カバー４１、４２の周面が重なって配置されるので、開口部４０ａに面した第１電装カバー４１の表面と第２電装カバー４２の周面の先端とがフランジ部４３の肉厚ｔだけ離れて接近して配される。従って、電装ボックス４０からの延焼をより確実に防止することができる。
【００６１】
また、電装ボックス４０は不燃性の底板３２に近設される。これにより、電装ボックス４０の底面に形成された孔部４０ｂを介して延焼した際に底板３２によって延焼の拡大が防止される。
【００６２】
本実施形態において、フランジ部４３を開口部４０ａの周縁に形成しているが、図２１に示すように電装ボックス４０の裏面の周縁にフランジ部４３を形成してもよい。この時、開口部４１ａ側が開口する第１溝部４７に第１電装カバー４１の周面が挿入される。第１溝部４７の外周側に隣接して裏面側が開口する第２溝部４６には第２電装カバー４２の周面が挿入される。同図において、係合爪４６ａ、４７ａ（図１７参照）の記載を省略している。
【００６３】
また、ヒンジ部５１は図２２に示すように、電装ボックス４０の側壁と樹脂カバー５０の側端壁とが樹脂ヒンジ５１ａで連結して構成される。ヒンジ部５１の折曲時に電装ボックス４０の側壁と樹脂カバー５０の側端壁とが同一面に配置されるように形成される。
【００６４】
これにより、上記と同様に、樹脂製の電装ボックス４０を金属性の第１、第２電装カバー４１、４２により覆うので、電装ボックス４０内で発火しても第１、第２電装カバー４１、４２によって簡単に延焼を防止して冷蔵庫１の安全性を向上することができる。また、開口部４０ａを覆う樹脂カバー５１を第１電装カバー４１により更に覆うので、金属製の第１電装カバー４１と電装部品とを容易に絶縁することができる。
【００６５】
また、第１、第２電装カバー４１、４２が第１、第２溝部４７、４６によって周面が重なって配置されるので、第２電装カバー４２の表面と第１電装カバー４１の周面の先端とがフランジ部４３の肉厚ｔだけ離れて接近して配される。従って、電装ボックス４０からの延焼をより確実に防止することができる。
【産業上の利用可能性】
【００６６】
本発明によると、制御基板を収納する電装ボックスを備えた冷蔵庫に利用することができる。
【図面の簡単な説明】
【００６７】
【図１】本発明の実施形態の冷蔵庫を示す側面断面図
【図２】本発明の実施形態の冷蔵庫を示す正面断面図
【図３】図２のＡ−Ａ断面図
【図４】本発明の実施形態の冷蔵庫の吐出通路を通る断面を示す側面断面図
【図５】図２のＢ−Ｂ断面図
【図６】本発明の実施形態の冷蔵庫の戻り通路を通る断面を示す側面断面図
【図７】本発明の実施形態の冷蔵庫の下部を示す背面図
【図８】図７のＣ−Ｃ断面図
【図９】図７のＤ−Ｄ断面図
【図１０】本発明の実施形態の冷蔵庫の電装ボックス及び第１、第２電装カバーを示す分解斜視図
【図１１】本発明の実施形態の冷蔵庫の電装ボックスの樹脂カバーを開いた状態を示す正面図
【図１２】本発明の実施形態の冷蔵庫の電装ボックスの樹脂カバーを閉じた状態を示す正面図
【図１３】本発明の実施形態の冷蔵庫の電装ボックスに第１、第２電装カバーを取り付けた状態を示す正面図
【図１４】本発明の実施形態の冷蔵庫の電装ボックスに第１、第２電装カバーを取り付けた状態を示す右側面図
【図１５】本発明の実施形態の冷蔵庫の電装ボックスに第１、第２電装カバーを取り付けた状態を示す底面図
【図１６】図１２のＥ−Ｅ断面図
【図１７】図１６のＧ部詳細図
【図１８】本発明の実施形態の冷蔵庫の電装ボックスのフランジ部部分を示す上面断面図
【図１９】図１２のＦ−Ｆ断面図
【図２０】図１９のＨ部詳細図
【図２１】本発明の実施形態の冷蔵庫の電装ボックスに第１、第２電装カバーを取り付けた状態の他の態様を示す側面断面図
【図２２】本発明の実施形態の冷蔵庫の電装ボックスに第１、第２電装カバーを取り付けた状態の他の態様のヒンジ部を示す側面断面図
【符号の説明】
【００６８】
１    冷蔵庫
２    冷凍室
３    冷蔵室
４    仕切壁
５    冷却器
６    送風ファン
７    連通路
２０  吐出通路
２０ｂ、２０ｃ  吐出口
２３  戻り通路
２３ａ、２３ｂ  戻り口
１０    冷凍室ダクト
１１    ドレンパン
１２    排水パイプ
１３    載置棚
１４    仕切部
１５    収納ケース
１６    野菜室
１７    ダンパ
１８    低温ケース
２１    左通路
２２    右通路
２４    第１分岐路
２５    第２分岐路
２６    ダクト
２７    パネル
３０    機械室
３１    圧縮機
３２    底板
３３    断熱箱体
３６、３７  ハーネス
４０    電装ボックス
４１    第１電装カバー
４１ａ、４２ａ  係合孔
４２    第２電装カバー
４２ｂ  突起部
４３    フランジ部
４４、４５  遮蔽板
４６    第２溝部
４６ａ、４７ａ、５７ａ  係合爪
４６ｂ  挿通孔
４７    第１溝部
５０    樹脂カバー
５０ａ  ボス
５０ｂ  ストッパ
５０ｃ  リブ
５１    ヒンジ部
５１ａ  樹脂ヒンジ
５３    第１プリント配線基板
５４    第２プリント配線基板
５７    連続溝
【図１】
2009186102.tif 000003
【図２】
2009186102.tif 000004
【図３】
2009186102.tif 000005
【図４】
2009186102.tif 000006
【図５】
2009186102.tif 000007
【図６】
2009186102.tif 000008
【図７】
2009186102.tif 000009
【図８】
2009186102.tif 000010
【図９】
2009186102.tif 000011
【図１０】
2009186102.tif 000012
【図１１】
2009186102.tif 000013
【図１２】
2009186102.tif 000014
【図１３】
2009186102.tif 000015
【図１４】
2009186102.tif 000016
【図１５】
2009186102.tif 000017
【図１６】
2009186102.tif 000018
【図１７】
2009186102.tif 000019
【図１８】
2009186102.tif 000020
【図１９】
2009186102.tif 000021
【図２０】
2009186102.tif 000022
【図２１】
2009186102.tif 000023
【図２２】
2009186102.tif 000024